(57)【要約】【課題】本発明は、容易に緑地を形成できる緑地形成方法、及び緑地形成方法に使用される緑化部材を提供する。【解決手段】本発明の緑地形成方法は、緑地を形成する領域５において、その領域５に液体を塗布してゲル状の防水層１０を形成する工程と、防水層１０の表面に軽量部材１３を固定する工程と、防水層上に少なくとも保水能力を有する部材１６ａを含む物質１６によって活着層１５を形成する工程と、活着層１５に植物２０を活着させる工程と、を具備する。【選択図】      図２
2004180610.tif 000002
【特許請求の範囲】
【請求項１】
緑地を形成する領域において、
前記領域に液体を塗布して防水層を形成する工程と、
前記防水層の表面に軽量部材を固定する工程と、
前記防水層上に少なくとも保水能力を有する部材を含む物質によって活着層を形成する工程と、
前記活着層に植物を活着させる工程と、
を具備することを特徴とする緑地形成方法。
【請求項２】
前記防水層を形成する前工程として、前記領域において、所定間隔に突設部材を形成する工程を具備することを特徴とする請求項１に記載の緑地形成方法。
【請求項３】
所定の領域に液体を塗布して形成される防水層と、
前記防水層上に固定される多孔質材料からなる軽量部材と、
少なくとも保水能力を有する部材を含む物質を前記防水層上に敷き詰めて形成される活着層と、
を具備していることを特徴とする緑化部材。
【請求項４】
前記活着層には、植物を植え込むための植込み用孔が形成されていることを特徴とする請求項３に記載の緑化部材。
【請求項５】
前記活着層に植え込まれる植物と、
前記植物を前記活着層に活着させるための固定ピンと、
を具備し、ユニット化することを特徴とする請求項３、又は４に記載の緑化部材。
【請求項６】
緑地を形成する領域において、
前記領域に液体を塗布して防水層を形成する工程と、
前記防水層上に、所定の領域に液体を塗布して形成される基台と、前記基台上に固定される多孔質材料からなる軽量部材と、少なくとも保水能力を有する部材を含む物質を前記基台上に敷き詰めて形成される活着層と、前記活着層に植え込まれる植物と、前記植物を前記活着層に活着させるための固定ピンと、から形成されるユニット化された緑化部材を配置する工程と、
を具備することを特徴とする緑地形成方法。
【発明の詳細な説明】
【０００１】
【発明の属する技術分野】
本発明は、例えば、屋上等のコンクリート床面に緑地を形成するための緑地形成に関する。
【０００２】
【従来の技術】
従来、屋上等のコンクリート壁面に緑地を形成する場合には、コンクリート床面に土を敷詰め、成形苗を移植して緑地を形成していた。
【０００３】
また、重量等の問題により土の量は最小限にする必要がある。
【０００４】
【発明が解決しようとする課題】
そのため、移植の際に成形苗の根部の土をほぐしたり、設置する場所の土を所定の成形苗の形状に合わせて掘ったり、土を埋め合わせたりするなど、手間のかかる作業が必要となるという問題がある。
【０００５】
また、土の層が薄いため、根が安定せず、倒れやすいという問題がある。
【０００６】
また、移植当初は、成形苗と土とが十分に締まっておらず、しかも成形苗の根が根付いていないため、風等に対する抵抗力も弱く、飛ばされたり、倒れたりするという問題がある。
【０００７】
また、コンクリート壁面が斜面である場合、緑地形成が困難であるという問題点がある。
【０００８】
そこで本発明は、容易に緑地を形成できる緑地形成方法、及び緑地形成方法に使用される緑地部材を提供することを目的とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
本発明は、緑地を形成する領域（５）において、前記領域に液体を塗布してゲル状の防水層（１０）を形成する工程と、前記防水層の表面に軽量部材（１３）を固定する工程と、前記防水層上に保水能力を有する軽量な部材を含む物質によって活着層（１５）を形成する工程と、前記活着層に植物（２０）を活着させる工程と、を具備している。
【００１１】
この発明によれば、コンクリートと緑地との間に容易に防水層を形成できるとともに、緑地を形成できる。また、軽量である。また、軽量部材を防水層の表面に固定することにより、活着層を形成する物質を必要最小限の量にできる。また、最小限の土の量であっても植物の根が安定した状態で軽量部材に固定される。
【００１２】
また、前記防水層を形成する前工程として、前記領域において、所定間隔に突設部材（５２）を形成する工程を具備する。
【００１３】
この発明によれば、突設部材により防水層がコンクリートと一体化するため、防水層がコンクリート表面から剥がれにくいとともに、コンクリート表面に強固に形成される。
【００１４】
また、本発明は、所定の領域に液体を塗布して形成される防水層と、前記防水層上に固定される多孔質材料からなる軽量部材（１３）と、少なくとも保水能力を有する部材（１６ａ）を含む物質（１６）を前記防水層上に敷き詰めて形成される活着層と、を具備している。
【００１５】
この発明によれば、コンクリートと緑地との間に容易に防水層を形成できるとともに、緑地を形成できる。また、軽量である。また、軽量部材を防水層の表面に固定することにより、活着層を形成する物質を必要最小限の量にできる。また、最小限の土の量であっても植物の根が安定した状態で軽量部材に固定される。
【００１６】
また、前記活着層には、植物を植え込むための植込み用孔（１７）が形成されている。
【００１７】
この発明によれば、容易に、例えば成形苗を植え込むことが可能となる。
【００１８】
また、前記活着層に植え込まれる植物と、前記植物を前記活着層に活着させるための固定ピン（２５）と、を具備し、ユニット化している。
【００１９】
この発明によれば、本発明の緑化部材をユニット化することにより、容易、且つ迅速に緑地を形成できる。
【００２０】
また、本発明の緑地形成方法は、緑地を形成する領域において、前記領域に液体を塗布して防水層を形成する工程と、前記防水層上に、所定の領域に液体を塗布して形成される基台（３１）と、前記基台上に固定される多孔質材料からなる軽量部材と、少なくとも保水能力を有する部材を含む物質を前記基台上に敷き詰めて形成される活着層と、前記活着層に植え込まれる植物と、前記植物を前記活着層に活着させるための固定ピンと、から形成されるユニット化された緑化部材（３０）を配置する工程と、を具備している。
【００２１】
この発明によれば、コンクリートと緑地との間に容易に防水層を形成できるとともに、緑地を容易、且つ迅速に形成できる。
【００２２】
【発明の実施の形態】
以下、図１〜図５を参照して、本発明の各実施形態について説明する。
【００２３】
―第１の実施形態―
図１は第１の実施形態における緑地外観図、図２は図１のＡ−Ａ断面図、図３は図２のＢ部分拡大図である。
【００２４】
図示のように、ビル等の屋上に緑地を形成する場合の実施例を示す。
【００２５】
緑地形成方法として、まず、排水溝１ａを有するビル等の屋上１において緑地を形成する緑地領域５の外周から上方に垂設して壁部６を形成する（図１参照）。壁部６は例えば、ブロックや煉瓦等を積み重ねて形成する。また、壁部６の一部には、壁部６により囲まれた内部（緑地領域５）から排水溝１ａ（外部）へ貫通する孔７を設ける。
【００２６】
次に、緑地領域において、コンクリート床面１ｂ上に防水層１０を形成する（図２、図３参照）。防水層１０は、例えば、リモネンを加熱してスチロール材を溶かし込んだ粘性のある液体をコンクリート床面１ｂに塗布して形成される。この防水層１０は所定時間経過後、ゲル状に形成される。
【００２７】
また、防水層は、例えば、緑地領域において、ポリウレタンに発泡剤を入れた液体（以下「発泡ウレタン」と呼ぶ。）をコンクリート壁面に塗布して形成してもよい。この防水層は所定時間経過後発泡し、防水機能を有する多孔質な軽量部材を形成できる。
【００２８】
次に、その防水層１０の表面上には所定間隔に軽量部材１３を設ける。この軽量部材１３は、例えば、多孔質材料により形成されている物質である。この軽量部材１３の好適な例はスチロール材である。この軽量部材１３は、上記防水層１０を形成するための液体を塗布した直後に行われることが好ましい。これにより、軽量部材１３を防水層１０が形成される過程において、防水層１０に接着できるからである。
【００２９】
また、この軽量部材１３はスチロール材等リモネンに溶け込む部材であることが好ましい。これにより、軽量部材１３と液体（防水層１０）との接触面において軽量部材１３が液体に若干溶け込むため、強固に軽量部材１３が液体に接着される。また、この軽量部材１３は、所定の形状に変形される。好適には、逆三角錐形状であるとよい。後述する植物の根部がこの軽量部材１３の外周に根付きやすくなり、植物が安定して生育するからである。また、この軽量部材１３は後述する固定ピンを所定の位置に固定するための手段としての部材として機能する。
【００３０】
また、この軽量部材１３は、例えば、発泡ウレタンにより形成されたウレタンフォームであってもよい。ウレタンフォームは所定の形状に変形される。好適には、逆三角錐形状であるとよい。
【００３１】
次に、防水層１０上に活着層１５を形成する（図３参照）。活着層１５は、軽量部材１３が覆われる程度に保水能力を有する軽量な物質１６（土砂等）を敷き詰めて形成される。この物質１６とは、例えば、保水能力を有する部材としての竹炭１６ａと軽量土砂１６ｂの混合物である。竹炭１６ａは保水能力を有するため、水を含み、植物の生育に必要な保水量を持つことができる。
【００３２】
次に、活着層１５に芝、成形苗等の植物２０を植え込む。例えば、芝などの場合は、緑地領域５に芝を敷き詰め芝の上面から芝を活着層１５上に密着させる（芝を活着層に根付かせる）ための固定ピン２５を差し込む。固定ピン２５の先端は軽量部材１３に差し込まれる。これにより、芝（植物２０）が活着層１５に根付き易くなるとともに植物２０の根が伸びるまで活着することが出来る。
【００３３】
また、成形苗の場合も同様に外部から成形苗の根部を介して軽量部材１３に差し込むように固定ピン２５を設ければよい。
【００３４】
また、固定ピン２５は、例えば、竹串等のように所定の時間経過後に腐って、土と同化する部材を使用するとよい。これにより成形苗の根が根付いたあとに固定ピン２５を抜き取る必要がなくなる。
【００３５】
−第２の実施形態−
以下、図４を参照して、本発明による第２の実施形態について説明する。なお、図４において、図２と共通する部分には同一符号を付し、それらの説明は省略する。
【００３６】
図４は第２の実施形態における緑地の内部構造図である。
【００３７】
図示のように、緑地領域５において、屋上のコンクリート床面１ｂ上に防水層１０を形成し、その防水層１０の表面に予めユニット化されて形成された緑地形成部材３０を配置して備えるようにしてもよい。緑地形成部材３０は、基台３１と、その基台上に形成される活着層１５と、その活着層１５に植え込まれる植物２０と、から形成される。また、基台３１は、防水層１０と同様に、例えば、リモネンにスチロール材を溶かし込んだ粘性のある液体により形成されることが好ましい。
【００３８】
また、緑地形成部材３０は、緑地領域５に並べて設けられる。また、この緑地形成部材３０は、防水層１０を形成するための液体を塗布した直後に備えられることが好ましい。これにより、緑地形成部材３０の基材３１が防水層１０を形成する過程において強固に接着される。
【００３９】
また、図示のように、活着層１５の所定部には、成形苗（植物）を植え込むための植込み用孔１７が予め形成されていてもよい。これにより、植物２０（成形苗）を容易に活着層１５に植え込むことができる。また、ユニット化された緑地形成部材は植物２０を植え込んだ状態であってもよいし、図示のように、植込み用孔１７を形成した状態であってもよい。
【００４０】
−第３の実施形態−
以下、図５を参照して、本発明による第３の実施形態について説明する。なお、図５において、図２と共通する部分には同一符号を付し、それらの説明は省略する。
【００４１】
図５は第３の実施形態における緑地の内部構造図である。
【００４２】
図示のように、斜めに形成された屋根等に緑地を形成する場合の実施例を示す。
【００４３】
緑地形成方法として、まず、下流側に排水溝５０ａを有する斜めに形成された屋根５０において、少なくとも緑地を形成する緑地領域５の下流側の端部から上方に垂設して壁部６を形成する。また、壁部６は、緑地領域５の外周から上方に垂設して形成し緑地領域５の外周を囲ってもよい。壁部６は例えば、ブロックや煉瓦等を積み重ねて形成する。また、壁部６の一部には、緑地領域５から排水溝１ａ（外部）へ貫通する孔７を設ける。
【００４４】
次に、緑地領域５において、所定間隔に屋根の表面５０ｂから上方に突設する突設部材５２、５２、・・・、５２を形成する。この突設部材５２は、例えばＴ字型のピンである。また、この突設部材５２は、ピンが屋根の表面５０ｂに打ち込まれて形成される。
【００４５】
この突設部材５２により後述するゲル状の防水層１０が突設部材５２と一体化するため防水層１０が屋根の表面５０ｂから剥がれにくくなるとともに、屋根の表面５０ｂと強固に固定される。
【００４６】
次に、緑地領域５において、屋根の表面５０ｂ上に防水層１０が形成され、その防水層１０の表面に所定間隔に軽量部材１３が設けられるとともに、防水層１０上に軽量部材１３を覆うように活着層１５が形成され、更にその活着層１５に植物２０が植え込まれて緑地が形成される。
【００４７】
以上各実施形態において説明したように、本発明の緑地形成方法は、緑地を形成する領域において、前記領域に所定間隔に突設部材５２を形成する工程と、前記領域に液体を塗布してゲル状の防水層１０を形成する工程と、前記防水層上に保水能力を有する軽量な部材によって活着層１５を形成する工程と、前記活着層１５に植物２０を活着させる工程と、を具備している。
【００４８】
このようにすれば、コンクリートと緑地との間に容易に防水層１０を形成できるとともに、緑地を形成できる。また、突設部材５２により防水層１０がコンクリートと一体化するため、防水層１０がコンクリート表面から剥がれにくいとともに、コンクリート表面に強固に形成される。
【００４９】
また、本発明の緑化部材は、スチロール材をリモネンに溶かし込んだ液体を前記コンクリート床面に塗布して形成される防水層１０と、その防水層上に固定される多孔質材料からなる軽量部材１３と軽量部材１３を覆うように防水層上に敷き詰められる少なくとも保水能力を有する部材を含む物質１６と、を備える活着層１５と、を具備している。また、前記活着層１５には、植物２０を植え込むための植込み用孔が形成されていてもよい。
【００５０】
このようにすればコンクリートと緑地との間に容易に防水層を形成できるとともに、緑地を形成できる。また、植込み用孔１７を形成することにより、容易に例えば成形苗を植え込むことが可能となる。
【００５１】
また、活着層１５に植え込まれる植物２０と、前記植物２０を前記活着層１５に活着させるための固定ピン２５と、を更に具備し、緑化部材３０をユニット化してもよい。このようにすれば、迅速、且つ容易に緑地を形成できる。
【００５２】
本発明は以上の実施形態に限定されることなく、種々の形態にて実施してよい。
【００５３】
例えば、図示しないが、この突設部材５２は、斜めに形成された屋根等に緑地を形成する場合のみに使用されるのではなく、平面上の屋上等のコンクリート壁面等に緑地を形成する場合にも使用される。
【００５４】
また、例えば、上記実施例においては、発泡ウレタンを使用して、防水層１０と軽量部材１３とを別々に形成し、防水層上に軽量部材１３を固定しているが、緑地領域５に発泡ウレタンを注入した後、コテ等で平らに防水層１０として機能する基台を形成するとともに、その基台上の所定位置に瘤状に発泡ウレタンを盛りつけて軽量部材として機能する突設部を一緒に形成してもよい。これにより迅速に緑地を形成できる。
【図面の簡単な説明】
【図１】第１の実施形態における緑地外観図である。
【図２】図２は図１のＡ−Ａ断面図である。
【図３】図３は図２のＢ部分拡大図である。
【図４】第２の実施形態における緑地の内部構造図である。
【図５】第３の実施形態における緑地の内部構造図である。
【符号の説明】
５  領域（緑地領域）
１０  防水層
１３  軽量部材
１６  物質
１６ａ  保水能力を有する部材（竹炭）
１７  植込み用孔
１５  活着層
２０  植物
２５  固定ピン
３０  緑化部材（緑地形成部材）
３１  基台
５２  突設部材
【図１】
2004180610.tif 000003
【図２】
2004180610.tif 000004
【図３】
2004180610.tif 000005
【図４】
2004180610.tif 000006
【図５】
2004180610.tif 000007